(57)【特許請求の範囲】
【請求項１】
購入前のウェアラブルデバイスのテストのためのシステムであって、当該システムは、
ウェアラブルデバイスをウェアラブルアンサンブルに対する試用デバイスとして識別するトランシーバであって、該ウェアラブルアンサンブルは、該ウェアラブルアンサンブルのユーザの個人的なネットワークを確保するように互いに認証された複数のデバイスを含む、トランシーバと、
前記試用デバイスに対応する試用データをウェアラブルアンサンブルシステムに提供する交換部と、を含み、
前記ウェアラブルアンサンブルシステムは前記ウェアラブルアンサンブルを含み、
前記試用データを提供することは、前記交換部が前記試用データにタグを付けることを含み、
前記タグは、前記ウェアラブルアンサンブルシステムのサービス又はデバイスのうちの少なくとも１つが前記試用データを識別し、試用期間の終了時に前記試用データを削除することを許可する、システム。
【請求項２】
前記交換部は、さらに、ウェアラブルアンサンブルデータのサブセットを試用システムに提供し、
前記試用システムは前記試用デバイスを含む、請求項１に記載のシステム。
【請求項３】
前記ウェアラブルアンサンブルデータのサブセットは、ユーザ定義プライバシー分類に基づいて選択される、請求項２に記載のシステム。
【請求項４】
前記試用データを提供することは、前記交換部が前記ウェアラブルアンサンブルシステムのメンバに、前記試用データをセグメントストレージに格納するよう指示することを含み、前記セグメントストレージは、該メンバ又は前記ウェアラブルアンサンブルの他のメンバによって提供されるデータから前記メンバに対して個別に識別可能である、請求項１に記載のシステム。
【請求項５】
前記ウェアラブルデバイスを前記ウェアラブルアンサンブルに対する前記試用デバイスとして識別することは、前記トランシーバが小売場所での販売時点管理システムから前記試用デバイスの識別情報を受信することを含む、請求項１に記載のシステム。
【請求項６】
前記ウェアラブルアンサンブルへの前記試用デバイスの組み込みによって達成される前記ウェアラブルアンサンブルの追加機能のレポートをユーザに提供するプロファイラを含む、請求項２に記載のシステム。
【請求項７】
前記追加機能は、前記試用システムのサービスによって提供される機能を含む、請求項６に記載のシステム。
【請求項８】
購入前のウェアラブルデバイスのテストのための方法であって、当該方法は、
トランシーバを介して、ウェアラブルデバイスをウェアラブルアンサンブルに対する試用デバイスとして識別するステップであって、該ウェアラブルアンサンブルは、該ウェアラブルアンサンブルのユーザの個人的なネットワークを確保するように互いに認証された複数のデバイスを含む、識別するステップと、
前記試用デバイスに対応する試用データをウェアラブルアンサンブルシステムに提供するステップと、を含み、
前記ウェアラブルアンサンブルシステムは前記ウェアラブルアンサンブルを含み、
前記試用データを提供することは、前記試用データにタグを付けることを含み、
前記タグは、前記ウェアラブルアンサンブルシステムのサービス又はデバイスのうちの少なくとも１つが前記試用データを識別し、試用期間の終了時に前記試用データを削除することを許可する、方法。
【請求項９】
ウェアラブルアンサンブルデータのサブセットを試用システムに提供するステップを含み、
前記試用システムは前記試用デバイスを含む、請求項８に記載の方法。
【請求項１０】
前記ウェアラブルアンサンブルデータのサブセットは、ユーザ定義プライバシー分類に基づいて選択される、請求項９に記載の方法。
【請求項１１】
前記ユーザ定義プライバシー分類は、プライバシー分類のセットのメンバであり、該プライバシー分類のセットのそれぞれは、対応するキーを有し、
前記ウェアラブルアンサンブルデータのサブセットは、前記試用システムによって提供される第１キーと前記ウェアラブルアンサンブルデータのサブセットに対応する第２キーとの間の対応関係に基づいて選択される、請求項１０に記載の方法。
【請求項１２】
前記第１キーは、前記ウェアラブルアンサンブルシステムとの通信から得られ、前記試用デバイスを含む前記試用システムによって提供される、請求項１１に記載の方法。
【請求項１３】
前記試用データは、前記試用デバイスによって生成される、請求項８に記載の方法。
【請求項１４】
前記試用データは、前記試用デバイスのセンサによって生成される、請求項１３に記載の方法。
【請求項１５】
前記試用データは、前記試用デバイスの出力として事前に生成されたデータである、請求項８に記載の方法。
【請求項１６】
前記試用データは、前記試用システムに含まれるサービスから生成される、請求項９に記載の方法。
【請求項１７】
前記試用データを提供するステップは、前記ウェアラブルアンサンブルシステムのメンバに、前記試用データをセグメントストレージに格納するよう指示するステップを含み、
前記セグメントストレージは、前記メンバ又は前記ウェアラブルアンサンブルの他のメンバによって提供されるデータから前記メンバに対して個別に識別可能である、請求項８に記載の方法。
【請求項１８】
前記ウェアラブルデバイスを前記ウェアラブルアンサンブルに対する前記試用デバイスとして識別するステップは、小売場所での販売時点管理システムから前記試用デバイスの識別情報を受信するステップを含む、請求項８に記載の方法。
【請求項１９】
前記ウェアラブルアンサンブルへの前記試用デバイスの組み込みによって達成される前記ウェアラブルアンサンブルの追加機能のレポートをユーザに提供するステップを含む、請求項９に記載の方法。
【請求項２０】
前記追加機能は、前記試用システムのサービスによって提供される機能を含む、請求項１９に記載の方法。
【請求項２１】
機械に請求項８から２０のいずれか一項に記載の方法を行わせるプログラム。
【請求項２２】
請求項８から２０のいずれか一項に記載の方法を実行する手段を含むシステム。
【請求項２３】
請求項２１に記載のプログラムが記憶されている機械読み取り可能媒体。
【発明の詳細な説明】
【技術分野】
【０００１】
本特許出願は、参照によりその全体が援用される、２０１４年１２月２２日に出願された、米国特許出願第１４／５７９，０４３号の優先権を主張する。
【０００２】
本明細書で説明される実施形態は、概して、デバイスインターネットワーキングに関連し、より詳細には、購入前のウェアラブルデバイスのテストに関連する。
【背景技術】
【０００３】
ウェアラブルデバイスは、身体に身に付けるように設計されたデバイスである。
ウェアラブルデバイスは、身体又は他の情報を観察し、その観察又はその観察からなされた計算を人々に提供するセンサ又は処理性能を含むことができる。場合によっては、１つ以上のウェアラブルデバイスにサービスが組み合わせられて、データの収集、分析、又はレポートをユーザに提供することができる。
【図面の簡単な説明】
【０００４】
図面は必ずしも一定の縮尺で描かれておらず、同様の数字は、異なる図において類似のコンポーネントを示すことができる。異なる文字接尾辞を有する同様の数字は、類似のコンポーネントの異なるインスタンスを表すことがある。図面は、概して、限定ではなく、例として、本文書で論じられる様々な実施形態を示す。
【０００５】
【図１】図１は、実施形態による、購入前のウェアラブルデバイスのテストのためのシステムの一例のブロック図である。
【０００６】
【図２】図２は、実施形態による、購入前のウェアラブルデバイスのテストのためのシステムの一例のブロック図である。
【０００７】
【図３】図３は、実施形態による、購入前のウェアラブルデバイスのテストのための方法の一例を示す。
【０００８】
【図４】図４は、実施形態による、購入前のウェアラブルデバイスのテストのための方法の一例を示す。
【０００９】
【図５】図５は、１つ以上の実施形態が実装され得る機械の例を示すブロック図である。
【発明を実施するための形態】
【００１０】
上記のように、ウェアラブルデバイス（及び他の接続デバイス）は、サポートサービスを有することがある。場合によっては、１つのデバイスが１つのサービスに割り当てられる（すなわち、１対１のペアリング）。しかし、新たに出現したものとして、複数のデバイスアンサンブル（device  ensemble）と複数のサービスとを組み合わせたものがある。例えば、手首に装着された心拍数モニタと自転車に装着されたモニタは互いに連携し、ユーザの行動を追跡するウェブサービスにデータをアップロードすることができる。デバイスとサービスの追加的な組み合わせによって、新しいデバイスやサービスをウェアラブルアンサンブルに追加することにより提供されるメリットが何なのかをユーザが判断することがより複雑になっている。この複雑性の問題は、ユーザが新しいデバイスやサービスに対して代金を支払うときに問題となり、これらの製品の販売に影響を与える可能性がある。
【００１１】
購入前のウェアラブルデバイスのテストのためのシステムがあれば、上述したウェアラブルデバイス・サービスの統合問題に対処することができる。消費者は、試用デバイス又はサービスを既存のウェアラブルアンサンブルシステムに統合することによって、デバイス又はサービスを事前にテストすることができる。しかし、試用システムとウェアラブルアンサンブルシステムとの間で共有され得るデータの一部はプライバシーの懸念を引き起こす可能性があるため、共有は、ユーザの個人データに対する保護を含む。この保護を容易にするために、システムは、ウェアラブル装置アンサンブルシステム及び試用システムによって生成されたデータの認識を維持し、ユーザがパブリックであると考えるデータに共有を制限する。さらに、試用システムデータは、テスト終了時にそれを削除する（remove）ため、又は除去する（clean  it  up）ために、追跡される。購入時に、ユーザは、最終的に所望される経験を得るため、又は様々なシステムとのデータ共有のためのインセンティブを得るために、様々なサービスにデバイスを割り当てることができる。さらなる詳細は以下に記載されている。
【００１２】
図１は、実施形態による、購入前のウェアラブルデバイスのテストのためのシステム１００の一例のブロック図である。システム１００は、動作中に、ウェアラブルデバイス１０５Ａ、試用デバイス１０５Ｂ、ウェアラブルアンサンブル（例えば、時計１１０、携帯電話１１５、及びスマートグラス１２０）、ウェアラブルアンサンブルシステムサービス１４５、試用システムサービス１４０又は販売時点管理システム１５０のうちのいずれか又はすべてに通信可能に結合されているデモンストレーションコーディネータ１２５を含むことができる。デモンストレーションコーディネータ１２５は、トランシーバ１３０、試用回路セット１３及び交換部１３５を含むことができる。様々な例では、トランシーバ１３０又は交換部１３５のいずれか又はすべては、販売時点管理システム１５０又は試用デバイス１０５内に位置することができる。図示しているように、ウェアラブルデバイス１０５Ａは、ショッピング場所（shopping  venue）でディスプレイされているシャツであり、試用デバイス１０５Ｂはユーザによって着用された後のシャツである。
【００１３】
本明細書において、ウェアラブルアンサンブルは、一体型センサ（例えば、マイクロフォン、カメラ、加速度計、ジャイロスコープ、タッチセンサ、変形センサ、距離センサ、パルスセンサ、ガルバニック皮膚応答センサ等）と、センサプロセッサ（例えば、センサデータから姿勢、歩行、ペース、心拍数等を決定するための体形態決定子（body  morphology  determiners））と、無線（例えば、インターネットを含む）接続と、場合によっては、視覚（例えば、ディスプレイ、ライト等）、聴覚（例えば、スピーカ、chirpers等）、嗅覚（例えば、香りを放出するアクチュエータ）又は触覚（例えば、振動器、電気刺激装置等）のフィードバック機構等の出力インタフェースと、を備えたデバイスを含む。ウェアラブルアンサンブルのデバイスは、Bluetooth（登録商標）、ＢＣＣ（Body  coupled  communications）又は他のパーソナルエリアネットワーク（ＰＡＮ）若しくはローカル無線エリアネットワーク（ＷＬＡＮ）規格などの多数の接続規格を通じて接続及び通信することができる。さらに、ウェアラブルアンサンブルの接続規格は、デバイス及びサービスを含むウェアラブルアンサンブルシステムのメンバの間でデータが問い合わせられる（queried）又は共有される正規化された方法を定義することができる。
【００１４】
さらに、ウェアラブルアンサンブルシステム内のデバイス及びサービスは、ユーザの個人的なネットワークを確保するために互いに認証されることができる。この認証は、ウェアラブルアンサンブルによって生成されたデータを安全に記憶し、かつ、ウェアラブルデバイス及びサービスの認証情報（credentials）に基づいて、どのデータがウェアラブルデバイス又はサービスに共有可能であるかを制御するゲートキーパーと連携することができる。これにより、ユーザの個人的なデータは、認証されていない要求者による直接的なクエリだけではなく、盗聴からも保護されることができる。
【００１５】
トランシーバ１３０は、ウェアラブルデバイス１０５Ａをウェアラブルアンサンブルに対する試用デバイス１０５Ｂとして識別するようにアレンジされる（例えば、構成、構築、設計される）ことができる。一例では、ウェアラブルデバイス１０５Ａをウェアラブルアンサンブルに対する試用デバイス１０５Ｂとして識別することは、トランシーバ１３０が小売場所での販売時点管理システム１５０から試用デバイス１０５Ｂの識別情報を受信することを含む。したがって、販売時点管理システム１５０は、ウェアラブルデバイス１０５Ａの試用モードを可能にするためにその場所の店員によって使用されることができる。一例では、ウェアラブルデバイス１０５Ａは、ショッピング場所では動作中となり、ウェアラブルデバイス１０５Ａが購入されたときには使用不可となるデモンストレーションモードを含むことができる。この実施例では、ウェアラブルデバイス１０５Ａはウェアラブルアンサンブルと完全には統合できないことにより、ウェアラブルデバイス１０５Ａが恒久的に身動きをとることができない（permanently  hobbled）ようになっているため、デモンストレーションモードは盗難防止の一形態として働く可能性がある。一例では、試用回路セット１３２が、トランシーバ１３０に統合されることができる、あるいは、トランシーバがウェアラブルデバイス１０５Ａをウェアラブルアンサンブルに対する試用デバイス１０５Ｂとして識別するために、トランシーバに通信可能に結合されることができる。これにより、トランシーバ１３０は、試用回路セット１３２への入出力通信を処理するように動作することができ、試用回路セット１３２は、ウェアラブルデバイス１０５Ａが試用デバイス１０５Ｂであることを確認するためにそのデータに対する分析を行う。
【００１６】
交換部１３５は、試用デバイス１０５Ｂに対応する試用データをウェアラブルアンサンブルシステムに提供するようにアレンジされることができる。本明細書において、ウェアラブルアンサンブルシステムは、ウェアラブルアンサンブル（例えば、時計１１０、携帯電話１１５及びスマートグラス１２０）の一部であるデバイスと、ウェアラブルアンサンブルと連携するサービス（例えば、ウェアラブルアンサンブルシステムサービス１４５）と、を含む。交換部１３５は、図５に関して以下に説明するように回路セットなどのコンピュータハードウェア内に実装される。
【００１７】
一例では、交換部１３５は、ウェアラブルアンサンブルシステムデータのサブセットを試用システムに提供するようにアレンジされることができる。本明細書において、試用システムは、試用デバイス１０５Ｂと、試用システムサービス１４０などの任意の対応するサービスと、を含む。一例では、ウェアラブルアンサンブルデータのサブセットは、ユーザ定義プライバシー分類に基づいて選択されることができる。これにより、ユーザは、ウェアラブルアンサンブルによって生成された個人データのうちのどれを、おそらくは信頼できない試用システムのコンポーネントと共有するかを指定することができる。一例では、ユーザ定義プライバシー分類は、ユーザが任意の要求者と安心して共有しているデータを示す分類「パブリックデータ」を含むことができる。この例では、ウェアラブルアンサンブルデータのサブセットは、パブリックデータとして分類されるそのデータに限定されてもよい。
【００１８】
一例では、ユーザ定義プライバシー分類は、プライバシー分類のセットのメンバであることができる。この例では、プライバシー分類のセットのそれぞれは、対応するキーを有することができる。一例では、所与の分類のデータは、対応するキーが提供されたときにデータを解放するクエリエンジンによって提供される。一例では、データはキーで暗号化されている。この例では、データは要求時に提供されるが、要求者がキーを所有している場合にのみ使用可能である。ウェアラブルアンサンブルデータのサブセットは、試用システムによって提供される第１キーとウェアラブルアンサンブルデータのサブセットに対応する第２キーとの間の対応関係に基づいて選択されることができる。すなわち、選択されたデータは、試用システムがキーを有する任意のデータとすることができる。これにより、ユーザは、４つのセキュリティ分類のうちの２つに対応する２つのキー（例えば、販売時点管理システム１５０で）を試用システムに提供することができる。この例では、選択されたデータのサブセットは、２つのキーに対応する２つのセキュリティ分類からの任意の又はすべてのデータを含むことができる。これにより、所与のウェアラブルデバイス（例えば、眼鏡１２０）は、データの特定のクエリが許可又は不許可になるようにデータを記憶することができる。一例では、第１キーは、ウェアラブルアンサンブルとの通信から得られ（例えば、時計１１０と試用デバイス１０５Ｂとの間に接続で示されるように）、トランシーバ１３０によって受信される。この例では、交換部１３５は、試用のクエリに対するキーを提供する。
【００１９】
一例では、デバイス（例えば、眼鏡１２０）は、試用システムと共有可能なデータをデータベース１２２に記憶することができ、クエリで渡された認証情報によってデータアクセスのレベルを可変にする。例えば、ウェアラブルアンサンブルシステムサービス１４５は、すべてのデータへの完全なアクセスを得るために、暗号化されたキーを眼鏡１２０に渡すことができる。試用システムサービス１４０は、同じ暗号化されたキーにアクセスすることはできないが、ユーザのデモンストレーションデータとしてマークされたデータベース１２２の一部のみにアクセスすることを可能にする別の暗号化されたキーを有する。一例では、ウェアラブルデバイス（例えば、眼鏡１２０）は、データクエリを直接処理するのに十分なリソース（例えば、処理又は記憶リソース）を有さないことがある。この例では、ウェアラブルデバイスは、電話１１５のような別のデバイスにクエリ処理を委託することができる。
【００２０】
一例では、試用データは、試用デバイス１０５Ｂによって生成されることができる。例えば、試用デバイス１０５Ｂが脈拍センサを提供する場合、試用デバイス１０５Ｂが身に付けられたときにユーザの脈拍がウェアラブルアンサンブルシステムに提供されることができる。一例では、試用データは、試用デバイス１０５Ｂによって生成されることができる。この例では、ユーザの心拍数は、脈拍センサデータと連動して内部時計によって計算され、ウェアラブルアンサンブルシステムに提供されることができる。一例では、試用データは、試用システムサービス１４０などの試用システムに含まれるサービスから生成されることができる。例えば、ユーザの心拍数は試用システムサービス１４０と共有されることができる。ここで、ユーザの心拍数は、ユーザについての人口統計学的情報と組み合わせられて、ヘルスレポートをウェアラブルアンサンブルシステムに提供する。一例では、データは、試用デバイス１０５Ｂ又は試用システムサービス１４０の出力に適合する事前に生成されたデータである。この例では、事前に生成されたデータは、試用デバイス１０５又は試用システムサービス１４０の性能を明示するように構成される。例えば、シャツ１０５Ｂが温度計を有する場合、そのようなセンサは、ショッピング場所では普通であるインドア環境では興味をひくものではない可能性がある。センサの出力のサンプルデータを提供することにより、ユーザは、このセンサをウェアラブルアンサンブルシステムに付加するとそのシステムにどのように影響するかを観察することができる。
【００２１】
一例では、試用データを提供することは、交換部１３５が試用データにデジタルでタグを付けることを含む。タグにより、ウェアラブルアンサンブルシステムのサービス（例えば、ウェアラブルアンサンブルシステムサービス１４５）又はデバイス（例えば、時計１１０、電話１１５、又は眼鏡１２０のいずれか）のうちの少なくとも１つが試用データを識別することが可能である。一例では、タグはデータ自体に追加される。一例では、タグは、データが通信されるメッセージに含まれる。一例では、タグは、受信者に対するデータの試用特性を示すハンドシェイクプロトコルの信号として含まれる。
【００２２】
一例では、試用データを提供することは、ウェアラブルアンサンブルシステムのメンバに、試用データをセグメントストレージに格納するように指示することを含むことができる。一例では、セグメントストレージは、そのメンバ又はウェアラブルアンサンブルの他のメンバによって提供されたデータからメンバ対して個別に識別可能とすることができる。すなわち、セグメントストレージは、メンバによって処理される他のデータと識別可能に分離されている。一例では、セグメントストレージは、メンバのストレージデバイスの別個の物理的又は論理的パーティションとすることができる。一例では、セグメントストレージは、管理されたデータベース（例えば、データベース１２２）で使用されるような試用データのインデックス又はフィールド指定とすることができる。一例では、タグは、試用期間の終了時（例えば、試用デバイス１０５Ｂがショッピング場所で取り出された後の制限時間後など）に、受信者が試用データを識別又は除去することを許可する。
【００２３】
一例では、デモンストレーションコーディネータ１２５は、ウェアラブルアンサンブルへの試用デバイス１０５Ｂの組み込みよって達成されるウェアラブルアンサンブルの追加機能のレポートをユーザに提供するようにアレンジされたプロファイラを任意に含むことができる。一例では、追加機能は、試用システムサービス１４０などの試用システムのサービスによって提供される機能を含むことができる。プロファイラは、提供された試用データとウェアラブルアンサンブルシステムとの間の相互作用、試用システムに提供されたウェアラブルアンサンブルシステムデータ、又はウェアラブルアンサンブルシステム及び試用システムの任意のコンポーネントの機能を詳述したデータシートを観察して、レポートを作成することができる。一例では、レポートは、１つ以上の詳細な追加機能に対応する販売インセンティブを含むことができる。例えば、シャツ１０５の販売を促進するために、レポートは、温度計性能の列挙された追加機能と、対応する試用システムサービス１４０の１年間の無料サービスの提案を含むことができる。
【００２４】
一例では、デモンストレーションコーディネータ１２５は、試用体験に関するユーザのフィードバックを任意に処理することができる。そのようなフィードバックは、ユーザが試用製品１０５Ｂを好んだかどうか、又はユーザがどのような機能が好きだった又は好きではなかったかを含むことができる。一例では、デモンストレーションコーディネータ１２５は、好まれなかった機能のリストを提供することができる。一例では、ユーザは、好まれなかった機能の数又はタイプに応じて、試用製品１０５Ｂについての割引を提供されることができる。一例では、肯定的なフィードバックは、製品１０５Ｂは楽しまれたが高すぎることを示すことができる。そのようなフィードバックは、そうしなければすぐには取得できないであろう、デバイス１０５Ｂの試用から引き出されることができる。一例では、フィードバックをユーザに促すことは、デバイス１０５Ｂの購入を終了しないデバイス試用の後に生じる。試用についてのユーザの認識を追跡することによって、デバイス１０５Ｂの過去の経験は、製品１０５Ｂについてのユーザへの将来的な申し入れ（例えば、ご招待、ご提案など）を企画するのに使用されることができる。
【００２５】
以下は、システム１００によって可能にされたショッピングシナリオの例である。ポールは、衣料品小売業者であり、彼が既に所有しているリストバンド型のウェアラブルデバイスを身に付けている。ポールは彼が好きなバイクのシャツ（biking  shirt）を見つける。彼はシャツの製品説明タグを読んで、そのシャツが彼のウェアラブルアンサンブルシステムと互換性のあるウェアラブルデバイスであることに気付く。そのタグは、そのシャツが心拍数及び体温（例えば、乗車中の屋外の温度）を測定し、触覚のフィードバックを生成すると述べている。ポールはシャツを試着し、彼のリストバンドでシャツが検出されたことを見る。ポールは、リストバンドに表われる試用モードのペアリングメッセージを受け取る。彼は、基準心拍数に対する心拍数についてシャツの触覚的出力を介して、彼の既存の健康サービスからフィードバックを得る。彼はまた、彼の年齢の男性の健康を追跡する試用システムの新しいクラウドサービスのデータにアクセスできることを見る。販売場所では、彼のウェアラブルアンサンブルで試用するために、ポールがその新たなシャツをウェアラブルアンサンブルシステムに追加することができることを店員は提案する。ポールは、それを彼のリストバンドで組み合わせているので、その申し出を辞退する。ポールはまた、新しいシャツがシステムの一部として機能していることを彼のスマートフォンで見る。彼は新たなシャツが追加された状態のウェアラブルアンサンブルシステムの新しい性能について、読むことができる。
【００２６】
図２は、実施形態による、購入前のウェアラブルデバイスのテストのためのシステム２００の一例のブロック図である。システム２００は、ユーザのウェアラブルアンサンブルであるデバイス２２０，２２５と、ウェアラブルアンサンブルシステムサービス２０５，２１０と、試用システム２４５とを含むことができる。試用システム２４５は、新たなデバイス２３０、他の新たなデバイス２３５、試用システムサービス２１５及びデモンストレーションコーディネーションサービス２４０を含むことができる。図示しているように、様々なコンポーネントからのデモンストレーションコーディネーションサービス２４０を通じた通信経路は、一意的に破線で示されている。例えば、ユーザデバイス１  ２２０から潜在的な新たなバックエンドサービス２１５への通信は、デモンストレーションコーディネーションサービス２４０に接続する一点鎖線で表されている。さらに、試用システム２４５は、大きな点線の境界線によって示される形状内のコンポーネントを含む。
【００２７】
図示しているように、試用デバイス２３０，２３５又は試用システムサービス２１５との通信は、デモンストレーションコーディネーションサービス２４０を通過する。これにより、試用システム２４５のこれらのコンポーネントのデモンストレーションモード特徴は、単一の接合点で管理されることができる。デモンストレーションコーディネーションサービス２４０は、図１に関して論じられた１つ以上のデモンストレーションコーディネータ動作を行うことができる。このようにして、購入前のテスト中に、デバイス２３０が購入前テストモードであるというような自らの状態をユーザの既存サービス２０５及び２１０にレポートを行うことが容易になり、これにより、ユーザは、購入されていないデバイスにより、トレーニング履歴又はデバイスアンサンブル履歴を汚染することなく様々な機能を試すことができる。さらに、デモンストレーションコーディネーションサービス２４０は、販売場所で、試用デバイス２３０及び消費者のウェアラブルデバイス２２０，２２５と、サービス２０５，２１０，２１５等の複数のバックエンドサービスとを組み合わせることを容易にすることができる。１つ以上のデバイス２２０，２２５又は２３０の単一センサは、例えば、デモンストレーションコーディネーションサービス２４０によって行われる変換を介して、様々なフォーマット及びサンプリングレートでのデータを様々なサービスに貢献させることができる。
【００２８】
一例では、デモンストレーションコーディネーションサービス２４０は、ユーザが自分の既存のデバイス２２０及び２２５と、１つの２３０又は複数の２３５の新たなものとで達成することができる性能の決定を提供することができる。一例では、この決定は、構成に応じて、１つ以上のサービス２１５又はデバイス２３５を支援すること（subsidizing）を含むことができる。例えば、ユーザは、試用デバイス２３０を追加し、所定のデータ共有を増加させることによって、フリーデバイスを得ることができる。一例では、デモンストレーションコーディネーションサービス２４０は、ユーザがテスト構成に新たなデバイス／サービスを追加した及びここからそれらを削除したときにどの機能が有効にされているかを示す（例えば、電話、販売時点管理システム等のユーザデバイスを介した）購入支援画面を提供するようにアレンジされることができる。一例では、デモンストレーションコーディネーションサービス２４０は、ユーザの（家にある）他のデバイスのプロファイルにアクセスして、それらがその構成内でどのように動作するかを予測するようにアレンジされることができる。これにより、ユーザが所有しているが現在ユーザには身に付けられていないデバイスを含めて、シミュレートされたウェアラブルアンサンブルがテストされて、試用デバイス２３０がどのような利益をもたらすのかを決定することができる。
【００２９】
図３は、実施形態による、購入前のウェアラブルデバイスのテストのための方法３００の一例を示す。方法３００の動作は、図５に関して以下に説明するように、回路セットなどのコンピュータハードウェアによって行われる。
【００３０】
動作３０５において、ウェアラブルデバイスはウェアラブルアンサンブルに対する試用デバイスとして識別されることができる。一例では、ウェアラブルデバイスをウェアラブルアンサンブルに対する試用デバイスとして識別することは、小売場所での販売時点管理（point-of-sale）システムから試用デバイスの識別情報を受信することを含むことができる。
【００３１】
動作３１０において、試用デバイスに対応する試用データがウェアラブルアンサンブルシステムに提供されることができる。ここで、ウェアラブルアンサンブルはウェアラブルアンサンブルシステムの一部である。一例では、試用データは試用デバイスによって生成されることができる。一例では、試用データは試用デバイスのセンサによって生成されることができる。一例では、試用データは試用システムに含まれるサービスによって生成されることができる。一例では、試用データは試用デバイスの出力に適合する事前に生成されたデータとすることができる。
【００３２】
一例では、試用データを提供することは、試用データにタグを付けることを含むことができる。この例では、ウェアラブルアンサンブルシステムのサービス又はデバイスうちの少なくとも一方が試用データを識別できるように、タグが構成されている。そのような識別情報は、試用期間の終了時（例えば、ユーザが店内で試用デバイスを取り外すとき）に試用データを除去するために使用されてもよい。一例では、試用データを提供することは、ウェアラブルアンサンブルシステムのメンバに、試用データをセグメントストレージに格納するように指示することを含むことができる。この例では、セグメントストレージは、そのメンバ又はウェアラブルアンサンブルの他のメンバによって提供されるデータからそのメンバに対して個別に識別可能である。
【００３３】
オプションの動作３１５において、ウェアラブルアンサンブルデータのサブセットは試用システムに提供されることができる。ここで、試用システムは試用デバイスを含む。一例では、ウェアラブルアンサンブルデータのサブセットは、ユーザ定義プライバシー分類に基づいて選択されることができる。一例では、ユーザ定義プライバシー分類は、分類パブリックデータを含むことができる。この例では、ウェアラブルアンサンブルデータのサブセットは、パブリックデータとして分類されたデータであることができる。一例では、ユーザ定義プライバシー分類は、プライバシー分類のセットのメンバであり、プライバシー分類のセットのそれぞれは、対応するキーを有する。この例では、ウェアラブルアンサンブルデータのサブセットは、試用システムによって提供される第１キーとウェアラブルアンサンブルデータのサブセットに対応する第２キーとの間の対応関係に基づいて選択されることができる。一例では、第１キーは、ウェアラブルアンサンブルシステムとの通信から得られ、交換部によって提供されることができる。
【００３４】
オプションの動作３２０において、ウェアラブルアンサンブルへの試用デバイスの組み込みによって達成されるウェアラブルアンサンブル（又は、ウェアラブルアンサンブルシステム）の追加機能のレポートがユーザに提供されることができる。一例では、追加機能は、試用システムのサービスによって提供される機能を含むことができる。
【００３５】
図４は、実施形態による、購入前のウェアラブルデバイスのテストのための方法４００の一例を示す。方法４００の動作は、図５に関して以下に説明するように、回路セットなどのコンピュータハードウェアによって行われる。方法４００は、ショッピング訪問中の典型的なワークフローを示す。
【００３６】
動作４０５において、ユーザは、ユーザのウェアラブルアンサンブルシステムの一部であるウェアラブルアンサンブルを身に付けてショッピング場所に入る。ウェアラブルアンサンブルシステムは、ウェアラブルアンサンブルで動作する１つ以上のサービスを含んでいる。
【００３７】
動作４１０において、ユーザは、新たなウェアラブルデバイスを試着する。
【００３８】
動作４１５において、新たなウェアラブルデバイスが、現在のウェアラブルアンサンブルによって検出される。この時、現在のウェアラブルアンサンブルはその新たなデバイスを受け入れず、むしろアクセシビリティに注意する。
【００３９】
動作４２０において、ショッピング場所での販売システムが、ユーザがショッピング場所によって制御されている新たなウェアラブルデバイスを試着していることを認識する。
【００４０】
動作４２５において、販売システムは、テストモードで新たなウェアラブルデバイスをテストするための招待（invitation）をユーザに送信する。
【００４１】
動作４３０において、ユーザはその招待を受け入れる。この時、ウェアラブルアンサンブルは、新たなウェアラブルデバイスを統合するように通知される。しかし、テストモードであるために、新たなウェアラブルデバイスは、ウェアラブルアンサンブルの参加者と等しく見なされるのではなく、試用の信頼レベルが与えられる。
【００４２】
動作４３５において、新たなウェアラブルデバイスは、ユーザの既存のウェアラブルアンサンブルシステムサービスにデモデータを送信する。これにより、ユーザは、新たなウェアラブルデバイスが既存のサービスにどのように影響するかを見ることができる。
【００４３】
動作４４０において、新たなウェアラブルデバイス又は現在のウェアラブルアンサンブルデバイス若しくはサービスは、新たなウェアラブルデバイス試用システムの一部である新たなサービスにデータを送信する。これにより、ユーザは、試用サービスがどのような追加機能を提供するかを観察することができる。
【００４４】
動作４４５において、販売システムは、新たな及び現在のデバイス及びサービスの両方を使用して新たな機能をデモンストレーションする。この時、データの共有により、販売システムが新たな機能のレポートを提供することができる。一例としては、新たな機能は、ユーザの現在の性能と試用システムの性能との間の差として提供されることができる。これにより、ユーザは、その新たなウェアラブルデバイスを購入するか否かに関する詳細な情報を得た上で決定を行うことができる。
【００４５】
図５は、本明細書で論じる技術（例えば、方法論）のうちの任意の１つ以上を実行し得る例示的な機械５００のブロック図を示す。代替実施形態では、機械５００は、スタンドアロンデバイスとして動作してもよく、又は他の機械に接続（例えば、ネットワーク接続）されていてもよい。ネットワーク展開であれば、機械５００は、サーバ−クライアントネットワーク環境において、サーバマシン、クライアントマシン又はその両方の性能で動作することができる。一例としては、機械５００は、ピアツーピア（Ｐ２Ｐ）（又は他の分散型）ネットワーク環境においてピアマシンとして行動することができる。機械５００は、パーソナルコンピュータ（ＰＣ）、タブレットＰＣ、セットトップボックス（ＳＴＢ）、携帯情報端末（ＰＤＡ）、携帯電話、ウェブアプライアンス、ネットワークルータ、スイッチ若しくはブリッジ又はその機械がとるべきアクションを指定する命令（シーケンシャル又はそれ以外）を実行することができる任意の機械であることができる。さらに、単一の機械だけが図示されているが、用語「機械」はまた、本明細書で論じられる方法論のうちの任意の１つ以上を実行する命令のセット（又は複数のセット）を個々に又は共同して実行する機械の任意の集合を含むものとし、クラウドコンピューティング、サービスとしてのソフトウェア（ＳａａＳ）、他のコンピュータクラスタ構成等がある。
【００４６】
本明細書で説明される例は、論理又は多数のコンポーネント又は機構を含み得るか、又はそれらによって動作し得る。回路セット（１つの回路グループ又は複数の回路グループとしても知られる）は、ハードウェア（例えば、単純回路、ゲート、ロジック等）を含む有形のエンティティに実装される回路の集合である。回路セットであるための条件は、時間及び潜在的なハードウェアに変動に対して柔軟性があることである。回路セットは、単独で又は組み合わせて、動作するときに指定された動作を実行できるメンバを含む。一例では、回路セットのハードウェアは、特定の動作を実行するように不変的に設計される（例えば、ハードワイヤード）ことができる。一例では、回路セットのハードウェアは、特定の動作の命令を符号化した物理的に変更された（例えば、磁気的、電気的、不変質量粒子の移動可能な配置）コンピュータ読み取り可能媒体を含む可変的に接続された物理的コンポーネント（例えば、実行ユニット、トランジスタ、単純回路等）を含む。物理的コンポーネントを接続する際、ハードウェア構成要素の基礎となる電気的特性が変更される。例えば、絶縁体から導体へ、又はその逆である。命令は、動作中に特定の動作の部分を実行するために、組み込みハードウェア（例えば、実行ユニット又はローディング機構）が可変接続を介してハードウェア内の回路セットのメンバを作成することを可能にする。したがって、コンピュータ読み取り可能媒体は、装置が動作しているときに回路セットのメンバの他のコンポーネントに通信可能に結合される。一例では、任意の物理的コンポーネントは、複数の回路セットの複数のメンバに使用されることができる。例えば、動作中、実行ユニットは、ある時点では、第１回路セット内の第１回路で使用され、ことなる時点では、第１回路セット内の第２回路によって、又は第２回路セット内の第３回路によって再使用されることができる。
【００４７】
機械（例えば、コンピュータシステム）５００は、ハードウェアプロセッサ５０２（例えば、中央処理装置（ＣＰＵ）、グラフィック処理装置（ＧＰＵ）、ハードウェアプロセッサコア、又はそれらの任意の組み合わせ）、メインメモリ５０４及びスタティックメモリ５０６を含むことができ、これらのいくつか又は全ては、インターリンク（例えば、バス）５０８を介して互いに通信することができる。機械５００は、表示装置５１０、英数字の入力装置５１２（例えば、キーボード）及びユーザインタフェース（ＵＩ）ナビゲーション装置５１４（例えば、マウス）を含む。一例では、表示装置５１０、入力デバイス５１２及びＵＩナビゲーション装置５１４は、タッチスクリーンディスプレイであることができる。機械５００は、記憶装置（例えば、駆動ユニット）５１６、信号生成装置５１８（例えば、スピーカ）、ネットワークインタフェース装置５２０及びグローバルポジショニングシステム（ＧＰＳ）センサ、コンパス、加速度計、他のセンサ等の１つ以上のセンサ５２１を含む。機械５００は、シリアル（例えば、ユニバーサルシリアルバス（ＵＳＢ））、パラレル又は他の有線又は無線（例えば、赤外線（ＩＲ）、近距離通信（ＮＦＣ）等）接続等の出力コントローラ５２８を含むことができ、１つ以上の周辺装置（例えば、プリンタ、カードリーダ等）と通信する又はこれらを制御する。
【００４８】
記憶装置５１６は、本明細書に記載されている任意の１つ以上の技術又は機能を具体化する又はこれらによって利用されるデータ構造又は命令５２４（例えば、ソフトウェア）の１つ以上のセットが記憶される機械読み取り可能媒体５２２を含むことができる。命令５２４は、機械５００による実行中、メインメモリ５０４内、スタティックメモリ５０６内又はハードウェアプロセッサ５０２内に完全に又は少なくとも部分的に存在することができる。一例では、ハードウェアプロセッサ５０２、メインメモリ５０４、スタティックメモリ５０６、又は記憶装置５１６の１つ又はこれらの任意の組み合わせが、機械読み取り可能媒体を構成することができる。
【００４９】
機械読み取り可能媒体５２２は単一の媒体として図示されているが、用語「機械読み取り可能媒体」は、１つ以上の命令５２４を記憶するように構成されている単一の媒体又は複数の媒体（例えば、集中型若しくは分散型データベース、及び／又は関連するキャッシュ及びサーバ）を含むことができる。
【００５０】
「機械読み取り可能媒体」という用語は、機械５００による実行のための命令を記憶、符号化、若しくは搬送することができ、機械５００に本開示の１つ以上の技術を行わせる、又はそのような命令によって使用される、若しくはそれに関連するデータ構造を記憶、符号化、若しくは搬送することができる任意の媒体を含むことができる。非限定的な機械読み取り可能媒体の例は、ソリッドステートメモリ並びに光学及び磁気媒体を含むことができる。一例では、質量を有する機械読み取り可能媒体は、不変（例えば、静止）質量を有する複数の粒子を備えた機械読み取り可能媒体を含む。従って、質量を有する機械読み取り可能媒体は、一時的伝搬信号ではない。質量を有する機械読み取り可能媒体の特定の例は、半導体メモリデバイス（例えば、電気的にプログラム可能な読み出し専用メモリ（ＥＰＲＯＭ）、電気的に消去可能なプログラム可能な読み出し専用メモリ（ＥＥＰＲＯＭ））、フラッシュメモリデバイス等の不揮発性メモリ、内蔵ハードディスク、リムーバブルディスク等の磁気ディスク、光磁気ディスク並びにＣＤ−ＲＯＭ及びＤＶＤ−ＲＯＭディスクを含む。
【００５１】
命令５２４は、さらに、多数の転送プロトコル（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ）等）のうちの任意の１つを利用し、インタフェース装置５２０を介し、伝送媒体を用いて通信ネットワーク５２６で送受信されることができる。例示的な通信ネットワークは、ローカルエリアネットワーク（ＬＡＮ）、ワイドエリアネットワーク（ＷＡＮ）、パケットデータネットワーク（例えば、インターネット）、携帯電話ネットワーク（例えば、セルラーネットワーク）、基本電話（ＰＯＴＳ）ネットワーク及び無線データネットワーク（Ｗｉ−Ｆｉ（登録商標）として知られている電気電子技術者（ＩＥＥＥ）８０２．１１ファミリーの標準、ＷｉＭａｘ（登録商標）として知られているＩＥＥＥ  ８０２．１６ファミリーの標準、ＩＥＥＥ８０２．１５．４ファミリーの標準、とりわけ、ピアツーピア（Ｐ２Ｐ）ネットワーク）を含む。一例では、ネットワークインタフェース装置５２０は、通信ネットワーク５２６に接続するための１つ以上の物理ジャック（例えば、イーサネット（登録商標）、同軸、又は電話ジャック）又は１つ以上のアンテナを含むことができる。一例では、ネットワークインタフェース装置５２０は、単入力多出力（ＳＩＭＯ）、多入力多出力（ＭＩＭＯ）又は多入力単出力（ＭＩＳＯ）技術のうちの少なくとも１つを使用して無線通信するための複数のアンテナを含むことができる。用語「伝送媒体」は、機械５００による実行のための命令を記憶、符号化又は搬送することができる任意の無形媒体を含み、このようなソフトウェアの通信を容易にするデジタル又はアナログ通信信号又は他の無形媒体を含むものとする。
【００５２】
（付記及び例）
例１は、ウェアラブルデバイスをウェアラブルアンサンブルに対する試用デバイスとして識別するトランシーバと、前記試用デバイスに対応する試用データをウェアラブルアンサンブルシステムに提供する交換部と、を含み、前記ウェアラブルアンサンブルシステムは前記ウェアラブルアンサンブルを含む主題（購入前のウェアラブルデバイスのテストのためのデバイス、装置、システム等）を含むことができる。
【００５３】
例２では、例１の主題が、前記交換部は、さらに、ウェアラブルアンサンブルシステムデータ（wearable  ensemble  system  data）のサブセットを試用システムに提供し、前記試用システムは前記試用デバイスを含む、ことを任意に含むことができる。
【００５４】
例３では、例２の主題が、前記ウェアラブルアンサンブルデータのサブセットは、ユーザ定義プライバシー分類に基づいて選択される、ことを任意に含むことができる。
【００５５】
例４では、例３の主題が、前記ユーザ定義プライバシー分類は、分類パブリックデータを含み、前記ウェアラブルアンサンブルデータのサブセットは、パブリックデータとして分類される、ことを任意に含むことができる。
【００５６】
例５では、例３から４のいずれか１つの主題が、前記ユーザ定義プライバシー分類は、プライバシー分類のセットのメンバであり、該プライバシー分類のセットのそれぞれは、対応するキーを有し、前記ウェアラブルアンサンブルデータのサブセットは、前記試用システムによって提供される第１キーと前記ウェアラブルアンサンブルデータのサブセットに対応する第２キーとの間の対応関係に基づいて選択される、ことを任意に含むことができる。
【００５７】
例６では、例５の主題が、前記第１キーは、前記ウェアラブルアンサンブルシステムとの通信から得られ、前記交換部によって提供される、ことを任意に含むことができる。
【００５８】
例７では、例１から６のいずれか１つの主題が、前記試用データは、前記試用デバイスによって生成される、ことを任意に含むことができる。
【００５９】
例８では、例７の主題が、前記試用データは、前記試用デバイスのセンサによって生成される、ことを任意に含むことができる。
【００６０】
例９では、例１から８のいずれか１つの主題が、前記試用データは、試用デバイスの出力に適合する事前に生成されたデータである、ことを任意に含むことができる。
【００６１】
例１０では、例１から９のいずれか１つの主題が、前記試用データは、試用システムに含まれるサービスから生成される、ことを任意に含むことができる。
【００６２】
例１１では、例１から１０のいずれか１つの主題が、前記試用データを提供することは、前記交換部が前記試用データにタグを付けることを含み、前記タグは、前記ウェアラブルアンサンブルシステムのサービス又はデバイスのうちの少なくとも１つが前記試用データを識別し、試用期間の終了時に前記試用データを削除することを許可する、ことを任意に含むことができる。
【００６３】
例１２では、例１から１１のいずれか１つの主題が、前記試用データを提供することは、前記交換部が前記ウェアラブルアンサンブルシステムのメンバに、前記試用データをセグメントストレージに格納するよう指示することを含み、前記セグメントストレージは、前記メンバ又は前記ウェアラブルアンサンブルの他のメンバによって提供されるデータから前記メンバに対して個別に識別可能である、ことを任意に含むことができる。
【００６４】
例１３では、例１から１２のいずれか１つの主題が、前記ウェアラブルデバイスを前記ウェアラブルアンサンブルに対する試用デバイスとして識別することは、前記トランシーバが小売場所での販売時点管理システムから前記試用デバイスの識別情報を受信することを含む、ことを任意に含むことができる。
【００６５】
例１４では、例１から１３のいずれか１つの主題が、前記ウェアラブルアンサンブルへの前記試用デバイスの組み込みによって達成される前記ウェアラブルアンサンブルの追加機能のレポートをユーザに提供するプロファイラを含む、ことを任意に含むことができる。
【００６６】
例１５では、例１４の主題が、前記追加機能は、前記試用システムのサービスによって提供される機能を含む、ことを任意に含むことができる。
【００６７】
例１６は、トランシーバを介して、ウェアラブルデバイスをウェアラブルアンサンブルに対する試用デバイスとして識別するステップと、前記試用デバイスに対応する試用データをウェアラブルアンサンブルシステムに提供するステップと、を含み、前記ウェアラブルアンサンブルシステムは前記ウェアラブルアンサンブルを含む、主題（方法、行動を行うための手段、機械が実行により行動を行うための命令を含む機械読み取り可能媒体等）を含むことができる、あるいは含むように例１から１５のいずれか１つと組み合わせられることができる。
【００６８】
例１７では、例１６の主題が、ウェアラブルアンサンブルシステムデータのサブセットを試用システムに提供するステップを含み、前記試用システムは前記試用デバイスを含む、ことを任意に含むことができる。
【００６９】
例１８では、例１７の主題が、前記ウェアラブルアンサンブルデータのサブセットは、ユーザ定義プライバシー分類に基づいて選択される、ことを任意に含むことができる。
【００７０】
例１９では、例１８の主題が、前記ユーザ定義プライバシー分類は、前記分類パブリックデータを含み、前記ウェアラブルアンサンブルデータのサブセットは、パブリックデータとして分類される、ことを任意に含むことができる。
【００７１】
例２０では、例１８から１９のいずれか１つの主題が、前記ユーザ定義プライバシー分類は、プライバシー分類のセットのメンバであり、該プライバシー分類のセットのそれぞれは、対応するキーを有し、前記ウェアラブルアンサンブルデータのサブセットは、前記試用システムによって提供される第１キーと前記ウェアラブルアンサンブルデータのサブセットに対応する第２キーとの間の対応関係に基づいて選択される、ことを任意に含むことができる。
【００７２】
例２１では、例２０の主題が、前記第１キーは、前記ウェアラブルアンサンブルシステムとの通信から得られ、前記試用デバイスを含む試用システムによって提供される、ことを任意に含むことができる。
【００７３】
例２２では、例１６から２１のいずれか１つの主題が、前記試用データは、前記試用デバイスによって生成される、ことを任意に含むことができる。
【００７４】
例２３では、例２２の主題が、前記試用データは、前記試用デバイスのセンサによって生成される、ことを任意に含むことができる。
【００７５】
例２４では、例１６から２３のいずれか１つの主題が、前記試用データは、試用デバイスの出力に適合する事前に生成されたデータである、ことを任意に含むことができる。
【００７６】
例２５では、例１６から２４のいずれか１つの主題が、前記試用データは、試用システムに含まれるサービスから生成される、ことを任意に含むことができる。
【００７７】
例２６では、例１６から２５のいずれか１つの主題が、前記試用データを提供するステップは、前記試用データにタグを付けるステップを含み、前記タグは、前記ウェアラブルアンサンブルシステムのサービス又はデバイスのうちの少なくとも１つが前記試用データを識別し、試用期間の終了時に前記試用データを削除することを許可する、ことを任意に含むことができる。
【００７８】
例２７では、例１６から２６のいずれか１つの主題が、前記試用データを提供するステップは、前記ウェアラブルアンサンブルシステムのメンバに、前記試用データをセグメントストレージに格納するよう指示するステップを含み、前記セグメントストレージは、前記メンバ又は前記ウェアラブルアンサンブルの他のメンバによって提供されるデータから前記メンバに対して個別に識別可能である、ことを任意に含むことができる。
【００７９】
例２８では、例１６から２７のいずれか１つの主題が、前記ウェアラブルデバイスを前記ウェアラブルアンサンブルに対する前記試用デバイスとして識別するステップは、小売場所での販売時点管理システムから前記試用デバイスの識別情報を受信するステップを含む、ことを任意に含むことができる。
【００８０】
例２９では、例１６から２８のいずれか１つの主題が、前記ウェアラブルアンサンブルへの前記試用デバイスの組み込みによって達成される前記ウェアラブルアンサンブルの追加機能のレポートをユーザに提供するステップを含む、ことを任意に含むことができる。
【００８１】
例３０では、例２９の主題が、前記追加機能は、前記試用システムのサービスによって提供される機能を含む、ことを任意に含むことができる。
【００８２】
例３１は、機械によって実行されると、該機械に例１６から３０のいずれか一つに記載の方法を行わせる命令を含む機械読み取り可能媒体等の主題を含むことができる。
【００８３】
例３２は、トランシーバを介して、ウェアラブルデバイスをウェアラブルアンサンブルに対する試用デバイスとして識別する手段と、前記試用デバイスに対応する試用データをウェアラブルアンサンブルシステムに提供する手段と、を含み、前記ウェアラブルアンサンブルシステムは前記ウェアラブルアンサンブルを含む、主題（購入前のウェアラブルデバイスのテストのためのシステム等）を含むことができる、あるいは含むように例１から３１のいずれか１つと組み合わせられることができる。
【００８４】
例３３では、例３２の主題が、ウェアラブルアンサンブルシステムデータのサブセットを試用システムに提供する手段を含み、前記試用システムは前記試用デバイスを含む、ことを任意に含むことができる。
【００８５】
例３４では、例３３の主題が、前記ウェアラブルアンサンブルデータのサブセットは、ユーザ定義プライバシー分類に基づいて選択される、ことを任意に含むことができる。
【００８６】
例３５では、例３４の主題が、前記ユーザ定義プライバシー分類は、前記分類パブリックデータを含み、前記ウェアラブルアンサンブルデータのサブセットは、パブリックデータとして分類される、ことを任意に含むことができる。
【００８７】
例３６では、例３４から３５のいずれか１つの主題が、前記ユーザ定義プライバシー分類は、プライバシー分類のセットのメンバであり、該プライバシー分類のセットのそれぞれは、対応するキーを有し、前記ウェアラブルアンサンブルデータのサブセットは、前記試用システムによって提供される第１キーと前記ウェアラブルアンサンブルデータのサブセットに対応する第２キーとの間の対応関係に基づいて選択される、ことを任意に含むことができる。
【００８８】
例３７では、例３６の主題が、前記第１キーは、前記ウェアラブルアンサンブルシステムとの通信から得られ、前記試用デバイスを含む試用システムによって提供される、ことを任意に含むことができる。
【００８９】
例３８では、例３２から３７のいずれか１つの主題が、前記試用データは、前記試用デバイスによって生成される、ことを任意に含むことができる。
【００９０】
例３９では、例３８の主題が、前記試用データは、前記試用デバイスのセンサによって生成される、ことを任意に含むことができる。
【００９１】
例４０では、例３２から３９のいずれか１つの主題が、前記試用データは、試用デバイスの出力に適合する事前に生成されたデータである、ことを任意に含むことができる。
【００９２】
例４１では、例３２から４０のいずれか１つの主題が、前記試用データは、試用システムに含まれるサービスから生成される、ことを任意に含むことができる。
【００９３】
例４２では、例３２から４１のいずれか１つの主題が、前記試用データを提供する手段は、前記試用データにタグを付ける手段を含み、前記タグは、前記ウェアラブルアンサンブルシステムのサービス又はデバイスのうちの少なくとも１つが前記試用データを識別し、試用期間の終了時に前記試用データを削除することを許可する、ことを任意に含むことができる。
【００９４】
例４３では、例３２から４２のいずれか１つの主題が、前記試用データを提供することは、前記ウェアラブルアンサンブルシステムのメンバに、前記試用データをセグメントストレージに格納するよう指示することを含み、前記セグメントストレージは、前記メンバ又は前記ウェアラブルアンサンブルの他のメンバによって提供されるデータから前記メンバに対して個別に識別可能である、ことを任意に含むことができる。
【００９５】
例４４では、例３２から４３のいずれか１つの主題が、前記ウェアラブルデバイスを前記ウェアラブルアンサンブルに対する前記試用デバイスとして識別することは、小売場所での販売時点管理システムから前記試用デバイスの識別情報を受信することを含む、ことを任意に含むことができる。
【００９６】
例４５では、例３２から４４のいずれか１つの主題が、前記ウェアラブルアンサンブルへの前記試用デバイスの組み込みによって達成される前記ウェアラブルアンサンブルの追加機能のレポートをユーザに提供する手段を含む、ことを任意に含むことができる。
【００９７】
例４６では、例４５の主題が、前記追加機能は、前記試用システムのサービスによって提供される機能を含む、ことを任意に含むことができる。
【００９８】
上記の発明を実施するための形態は、発明を実施するための形態の一部を形成する添付の図面への参照を含む。図面は、例示的に、実施され得る特定の実施形態を示す。これらの実施形態は、本明細書では「例」とも呼ばれる。そのような例は、図示又は説明されているものに加えて要素を含むことがある。しかし、本発明者らは、図示又は説明されている要素のみが提供される例も考慮している。さらに、本発明者らは、特定の例（若しくはその１つ以上の態様）に関して、又は本明細書に図示若しくは説明されている他の例（若しくはその１つ以上の態様）に関して、図示若しくは説明されているこれらの要素（又はその１つ以上の態様）の任意の組み合わせ又は置換を使用する例も考慮している。
【００９９】
本文書では、「少なくとも１つ」又は「１つ以上」の他のインスタンス又は使用とは独立して、１つ又は複数のものを含むように、特許文書で一般的であるように、用語「ａ」又は「ａｎ」が使用される。本文書において、特段の指示がない限り、用語「又は」は非排他的であることを示すのに使用されるため、「Ａ又はＢ」は「Ａであるが、Ｂではない」、「Ｂではあるが、Ａではない」及び「Ａ及びＢ」を含む。添付の特許請求の範囲では、「含む（including）」及び「において（in  which）」という用語は、それぞれ、用語「comprising」及び「wherein」の平易な英語の等価として使用されている。また、以下の特許請求の範囲において、用語「含む（including）」及び「含む（comprising）」は、オープンエンドであり、すなわち、請求項におけるそのような用語の後に列挙される要素に追加して要素を含むシステム、装置、物品又はプロセスは、依然として、その請求項の範囲に含まれるものとみなされる。さらに、以下の特許請求の範囲において、用語「第１」、「第２」、「第３」等は単にラベルとして使用されており、それらのオブジェクトに数値的な要件を課すことを意図していない。
【０１００】
上記の説明は例示的なものであり、限定的なものではない。例えば、上記の例（又は、その1つ以上の態様）は、互いに組み合わせて使用されることができる。上記の発明を実施するための形態を検討することにより、当業者等によって、他の実施形態は使用されることができる。要約は、読者が技術的開示の性質を迅速に確認できるようにするものであり、特許請求の範囲又は意味を解釈又は制限するために使用されないとの理解で提出されている。また、上記の発明を実施するための形態では、開示内容を合理化するために様々な特徴はグループ化されていることがある。これは、請求項に記載されていない開示されている特徴が請求項に不可欠であることを意図していると解釈すべきではない。むしろ、本発明の主題は、開示されている特定の実施形態のすべての特徴よりも少ないことがある。したがって、以下の特許請求の範囲は、発明を実施するための形態に組み込まれ、各請求項は別個の実施形態として独立して立っている。実施形態の範囲は、添付の特許請求の範囲を参照し、そのような特許請求の範囲により権利が与えられる等価物の全範囲と共に決定されるべきである。
【図１】
0006724008.tif 000002
【図２】
0006724008.tif 000003
【図３】
0006724008.tif 000004
【図４】
0006724008.tif 000005
【図５】
0006724008.tif 000006